(57)【要約】【課題】被処理水に凝集剤としてフェノール性水酸基を有する高分子化合物と鉄系凝集剤を添加する工程と、この凝集水を除濁用濾過器で濾過する工程と、この濾過水を逆浸透膜処理する工程とを有する用水処理方法において、良好なフロックが形成され、除濁膜への付着汚染、鉄リーク、低分子リークが抑制されるようにすることを目的とする。【解決手段】被処理水に凝集剤としてフェノール性水酸基を有する高分子化合物と鉄系凝集剤を添加する工程と、この凝集水を除濁用濾過器で濾過する工程と、この濾過水を逆浸透膜処理する工程とを有する用水処理方法において、フェノール性水酸基を有する高分子化合物の添加濃度と鉄系凝集剤の添加濃度との比が一定となるように凝集剤の添加を制御することを特徴とする用水処理方法。【選択図】図１
2018158310.tif 000002
【特許請求の範囲】
【請求項１】
被処理水に凝集剤としてフェノール性水酸基を有する高分子化合物と鉄系凝集剤を添加する工程と、
この凝集水を除濁用濾過器で濾過する工程と、
この濾過水を逆浸透膜処理する工程と
を有する用水処理方法において、
フェノール性水酸基を有する高分子化合物の添加濃度と鉄系凝集剤の添加濃度との比が一定となるように凝集剤の添加を制御することを特徴とする用水処理方法。
【請求項２】
請求項１において、フェノール性水酸基を有する高分子化合物の添加濃度と鉄系凝集剤の添加濃度との比が０．０１〜０．２５となるように凝集剤の添加を制御すること特徴とする用水処理方法。
【請求項３】
請求項１又は２において、鉄系凝集剤の添加濃度を原水水質、または／および処理水水質に応じて変動させ、この鉄系凝集剤の添加濃度に追従して添加濃度が一定となるようにフェノール性水酸基を有する高分子化合物の添加量を制御することを特徴とする用水処理方法。
【請求項４】
請求項１ないし３のいずれか１項において、フェノール性水酸基を有する高分子化合物添加濃度は１〜１５ｍｇ／Ｌであることを特徴とする用水処理方法。
【請求項５】
請求項１〜４のいずれか１項において、前記凝集水を直接に前記除濁用濾過器に供給することを特徴とする用水処理方法。
【発明の詳細な説明】
【技術分野】
【０００１】
本発明は、凝集、除濁、及び逆浸透膜によって原水を処理する用水処理方法に係り、特に凝集剤としてフェノール性水酸基を有する高分子化合物と鉄系凝集剤とを用いる用水処理方法に関する。
【背景技術】
【０００２】
井戸水、工業用水、水道水などを原水とする用水処理においては、原水に凝集剤を添加して、原水中の懸濁物質、コロイダル成分や有機物質等を凝結かつ粗大化させた後、沈殿、浮上、濾過、膜濾過等により固液分離する方法や、膜濾過単独で除濁・除菌して処理水を回収することが行われている。
【０００３】
従来、凝集処理には、塩化第二鉄やＰＡＣなどの無機凝集剤が用いられてきたが、例えば、塩鉄（塩化第二鉄）のみの凝集では原水水質によっては鉄コロイドが発生し、除濁膜汚染に繋がることもある。
【０００４】
また、逆浸透（ＲＯ）膜における膜閉塞を引き起こす、被処理水中のＵＶ−２６０成分を低減させるために、無機凝集剤の添加量を増やす必要があり、汚泥発生量の増加の問題がある。逆浸透膜の洗浄頻度の目安としては６ヶ月に一回程度である。洗浄頻度が３ヶ月以内に一回であった場合、コストが高くなること、洗浄により膜の劣化が生じるリスクが高くなる。
【０００５】
この問題を解決するものとして、無機凝集剤の添加に先立ちフェノール性水酸基を有する高分子化合物を添加する方法が提案されている。フェノール性水酸基を有する高分子化合物を添加することで、無機凝集剤の添加量を低減するとともに、凝集処理水の水質を向上させることができる（特許文献１）。
【０００６】
フェノール性水酸基を有する高分子化合物と無機凝集剤とを用いた凝集処理を行う場合、低分子成分が凝集処理水中に残存して、逆浸透膜を閉塞させる可能性がある。また、凝集処理水を除濁膜で除濁処理した後、ＲＯ処理する場合であっても、フェノール性水酸基を有する高分子化合物を添加した後に、除濁膜にて直接処理しようとすると、該高分子化合物等が除濁膜に付着して濾過性能が急激に悪化したり、また、除濁膜からリークしてＲＯ膜を閉塞させることがある。
【０００７】
特許文献２には、被処理水にフェノール性水酸基を有する高分子化合物と無機凝集剤を添加した後、固有粘度０．２３ｄＬ／ｇ以上のカチオン性高分子凝集剤を添加することで低分子成分のリークをおさえることが記載されている。しかし、新たにカチオン性高分子凝集剤を添加すると、凝集剤は３剤となり、コスト面でも、凝集剤添加制御面でも困難が予想される。
【０００８】
特許文献３，４には、被処理水にノボラック型フェノール樹脂系凝集剤を添加した後、無機凝集剤を添加し、ＲＯ処理することが記載されている。
【先行技術文献】
【特許文献】
【０００９】
【特許文献１】特開２０１７−７５６３号公報
【特許文献２】特開２０１５−１５７２６５号公報
【特許文献３】特開２０１１−５６４９６号公報
【特許文献４】特開２０１２−１６６１１８号公報
【発明の概要】
【発明が解決しようとする課題】
【００１０】
本発明は、被処理水に凝集剤としてフェノール性水酸基を有する高分子化合物と鉄系凝集剤を添加する工程と、この凝集水を除濁用濾過器で濾過する工程と、この濾過水を逆浸透膜処理する工程とを有する用水処理方法において、良好なフロックが形成され、除濁膜への付着汚染、鉄リーク、低分子リークが抑制されるようにすることを目的とする。
【課題を解決するための手段】
【００１１】
本発明の要旨は次の通りである。
【００１２】
［１］  被処理水に凝集剤としてフェノール性水酸基を有する高分子化合物と鉄系凝集剤を添加する工程と、この凝集水を除濁用濾過器で濾過する工程と、この濾過水を逆浸透膜処理する工程とを有する用水処理方法において、フェノール性水酸基を有する高分子化合物の添加濃度と鉄系凝集剤の添加濃度との比が一定となるように凝集剤の添加を制御することを特徴とする用水処理方法。
【００１３】
［２］  ［１］において、フェノール性水酸基を有する高分子化合物の添加濃度と鉄系凝集剤の添加濃度との比が０．０１〜０．２５となるように凝集剤の添加を制御すること特徴とする用水処理方法。
【００１４】
［３］  ［１］又は［２］において、鉄系凝集剤の添加濃度を原水水質、または／および処理水水質に応じて変動させ、この鉄系凝集剤の添加濃度に追従して添加濃度が一定となるようにフェノール性水酸基を有する高分子化合物の添加量を制御することを特徴とする用水処理方法。
【００１５】
［４］  ［１］ないし［３］のいずれかにおいて、フェノール性水酸基を有する高分子化合物添加濃度は１〜１５ｍｇ／Ｌであることを特徴とする用水処理方法。
【００１６】
［５］  ［１］〜［４］のいずれかにおいて、前記凝集水を直接に前記除濁用濾過器に供給することを特徴とする用水処理方法。
【発明の効果】
【００１７】
本発明では、被処理水に凝集剤としてフェノール性水酸基を有する高分子化合物と鉄系凝集剤を添加する工程と、この凝集水を除濁用濾過器で濾過する工程と、この濾過水を逆浸透膜処理する工程とを有する用水処理方法において、最初にフェノール性水酸基を有する高分子化合物の添加濃度と鉄系凝集剤の添加濃度との比を決定し、この比が一定となるようにフェノール性水酸基を有する高分子化合物及び鉄系凝集剤の添加量を制御する。これにより、良好なフロックが形成され、除濁膜への付着汚染、鉄リーク、低分子リークが抑制される。
【図面の簡単な説明】
【００１８】
【図１】本発明方法を説明するフロー図である。
【発明を実施するための形態】
【００１９】
本発明では、図１のように、被処理水に必要に応じ酸化剤を添加した後、フェノール性水酸基を有する高分子化合物と鉄系凝集剤とを添加した後、除濁処理し、次いで逆浸透膜処理（以下、ＲＯ処理ということがある。）を行う。
【００２０】
被処理水としては、水道水、工業用水、井戸水などが挙げられる。工業用水としては、河川水、湖沼水などが例示される。本発明では、被処理水中のＴＯＣ濃度は０．１〜５.０ｍｇ／Ｌ程度が好適である。
【００２１】
フェノール性水酸基を有する高分子化合物としては、ノボラック型フェノール樹脂にレゾール型の２次反応を行って得られた反応物であり、アルカリ溶液の形態のものが用いられ、特許文献３，４に記載のものが好ましい。
【００２２】
このフェノール性水酸基を有する高分子化合物は、フェノール類とアルデヒド類とを酸触媒の存在下に反応させて得られたノボラック型フェノール系樹脂のアルカリ溶液に、アルデヒド類を添加してレゾール型の２次反応を行って得られるフェノール系樹脂のアルカリ溶液よりなる水処理凝集剤であって、好ましくは該フェノール類がメチルフェノール類を含む。
【００２３】
レゾール型２次反応の原料となるノボラック型フェノール系樹脂は、常法に従って、反応釜において、フェノール類及びアルデヒド類を、酸性触媒の存在下で付加縮合反応させた後、常圧及び減圧下で、脱水と未反応フェノール類の除去を行って製造される。
【００２４】
アルデヒド類としては、ホルムアルデヒド、パラホルムアルデヒド、アセトアルデヒド、プロピルアルデヒド、ベンズアルデヒド、サリチルアルデヒド、グリオキザールなどが挙げられるが、何らこれらに限定されるものではない。これらのアルデヒド類は１種を単独で用いても良く、２種以上を混合して用いても良い。
【００２５】
これらのうち、実用的な物質は、ホルムアルデヒド、パラホルムアルデヒドである。
【００２６】
レゾール型２次反応の原料となるノボラック型メチルフェノール系樹脂の融点に制限はないが通常、原料フェノール類としてクレゾール等のメチルフェノール類を主体とするものは６０〜１３５℃である。
【００２７】
レゾール型２次反応の原料となるノボラック型メチルフェノール系樹脂の分子量に制限はないが、分子量のより高い樹脂の方が、２次反応終了後に、凝集に関与しないだけでなく凝集処理水中に残留して処理水を汚染する低分子量成分含有率が少なくなるため、好ましい。このため、用いるノボラック型メチルフェノール系樹脂は、重量平均分子量で１０００以上であることが好ましく、特に２０００以上であることが好ましい。ノボラック型メチルフェノール系樹脂の分子量の上限に制限はないが、通常、重量平均分子量で８０００程度である。
【００２８】
この２次反応メチルフェノール系樹脂の重量平均分子量は５，０００以上が好ましく、さらに好ましくは１００００以上である。一方、重量平均分子量が５００００を超える場合は、一部分子量１００万以上の分子が生成し、粘度が高く、時間経過でさらに架橋し、不溶物が発生する可能性が高いため、２次反応メチルフェノール系樹脂の重量平均分子量は５００００以下、特に３００００以下であることが好ましい。
【００２９】
このレゾール型２次反応で得られるメチルフェノール系樹脂のアルカリ溶液は、ポンプ薬注可能な液体であり、市販品（例えば、栗田工業株式会社製クリバーターＢＰ−２０１）を使用することができる。
【００３０】
鉄系凝集剤としては、塩化第二鉄、硫酸第二鉄、ポリ硫酸第二鉄などを用いることができる。
【００３１】
本発明では、鉄系凝集剤の添加濃度を原水水質（例えばＴＯＣ濃度）、または／および処理水水質（例えばＴＯＣ濃度）に応じて変動させ、この鉄系凝集剤の添加濃度に追従して添加濃度が一定となるようにフェノール性水酸基を有する高分子化合物の添加量を制御することが好ましい。例えば、ＴＯＣ濃度が０．１〜５.０ｍｇ／Ｌの範囲で変動するような場合、鉄系凝集剤は５〜３００ｍｇ／Ｌの範囲で制御する。具体的には、ＴＯＣ濃度０．１ｍｇ／Ｌに対して、鉄系凝集剤を５〜５０ｍｇ／Ｌ（好ましくは１０〜３０ｍｇ／Ｌ）、ＴＯＣ濃度２ｍｇ／Ｌに対し、鉄系凝集剤を４０〜１２０ｍｇ／Ｌ（好ましくは５０〜１００ｍｇ／Ｌ）、ＴＯＣ濃度５ｍｇ／Ｌに対し、鉄系凝集剤を１５０〜３００ｍｇ／Ｌ（好ましくは２００〜２５０ｍｇ／Ｌ）程度添加する。なお、これらの数値は、処理水質や運転状況を見ながら適宜変更されるものであり、これらの範囲に限られるものではない。
【００３２】
フェノール性水酸基を有する高分子化合物は、［フェノール性水酸基を有する高分子化合物の添加濃度］／［鉄系凝集剤の添加濃度］比（以下、凝集剤比ということがある。）が一定値、特に０．０１〜０．２５とりわけ０．０１〜０．２の間から選ばれた一定値となるように添加されることが好ましい。
【００３３】
フェノール性水酸基を有する高分子化合物は、添加濃度が２０ｍｇ／Ｌ以下となるように添加されることが好ましい。各凝集剤添加後の凝集反応時間は各々１〜３０分程度、好ましくは４〜１５分程度となるように反応される。フェノール性水酸基を有する高分子化合物と鉄系凝集剤との添加順序はどちらが先でもよいが、フェノール性水酸基を有する高分子化合物が先のほうが望ましい。
【００３４】
凝集ｐＨは４．５〜６、特に５〜５．５が好ましい。ｐＨ４．５未満では鉄リークにより逆浸透膜閉塞のおそれがある。ｐＨ６超では凝集不良の可能性がある。
【００３５】
被処理水にＦｅ２＋イオンが存在する場合、ＲＯを詰まらせるため、Ｆｅ２＋イオンからＦｅ３＋イオンにして凝集及び除濁処理で除去しやすくするため、凝集剤を添加する前の被処理水に酸化剤（好ましくは次亜塩素酸ナトリウムなどの塩素系酸化剤）を添加してもよい。この添加濃度は０．３〜１．０ｍｇ／ＬａｓＣｌ２程度が好ましい。
【００３６】
凝集水は、前処理することなく除濁処理することが好ましい。除濁器としては、一般的な重力濾過器、圧力濾過器、または除濁膜を用いることができる。除濁膜としては、耐薬品性の点からＰＶＤＦ製のものが好ましく、孔径０．０２〜０．１μｍのＵＦ膜、ＭＦ膜などが好ましい。除濁膜装置は、クロスフロー方式のものであっても全量濾過方式のものであってもよい。
【００３７】
除濁膜装置を用いた除濁処理は、除濁膜への通水、エアバブリング、逆洗、水張りの工程により行われる。濾過通水時間は２０〜４０分程度が好ましい。差圧（入口圧力−出口圧力）は０．０２〜０．０４ＭＰａ程度が好ましい。差圧が０．０７〜０．１０ＭＰａに上昇した場合、定置洗浄する。
【００３８】
除濁処理水を逆浸透膜処理する際の好ましい条件は次の通りである。
（１）  ブライン量は３．６ｍ３／ｈ以上が好ましい。
（２）  逆浸透膜は、標準圧力０．７３５ＭＰａの超低圧膜が好ましい。膜面積は３５〜４１ｍ２が好ましい。
（３）  初期純水フラックスは１．０ｍ／ｄ（２５℃以上、０．７３５ＭＰａ）が好ましい。初期脱塩率は９８％以上が好ましい。
（４）  カルシウム硬度ランゲリア指数が０以下となるように回収率を設定することが好ましい。また、ブライン水中のシリカ濃度がシリカの溶解度以内となるように回収率を設定することが好ましい。回収率は５０〜８０％が好ましい。
【００３９】
ＲＯ処理水をさらに電気脱イオン装置やイオン交換器で脱イオン処理してもよい。ＲＯから残留塩素がリークする可能性がある場合は、これらの機器の前段に活性炭濾過器や保安フィルターを設けることが好ましい。
【実施例】
【００４０】
［実験例１〜６］
井戸水を種々の凝集剤比で凝集処理した後、濾過処理し、凝集効果を試験した。
【００４１】
フェノール性水酸基を有する高分子化合物としては、栗田工業株式会社製クリバーターＢＰ−２０１（レゾール型）を用いた。鉄系凝集剤としては塩化第二鉄（塩鉄）を用いた。
【００４２】
井戸水は、ＵＶ−２６０が０．２２１ｍｇ／Ｌ、ＴＯＣが１．０ｍｇ／Ｌである。
【００４３】
凝集処理は、ジャーテスターを用い、ｐＨ５．５で行った。
【００４４】
凝集剤比は、表１の通り、０、０．０１、０．１、０．２、０．５、１とした。
【００４５】
濾過には、Ｎｏ．５Ａ濾紙を用いた。濾過水質（ＵＶ−２６０，ＴＯＣ）を測定し、結果を表１に示した。
【００４６】
【表１】
2018158310.tif 000003
【００４７】
＜考察＞
表１の通り、凝集剤比を０．０１〜０．５とした実験例２〜５は、凝集剤比が０の実験例１よりもＴＯＣ濃度が低い。
【００４８】
凝集剤比が１である実験例６は、実験例１に比べてＴＯＣが高い。これは、フェノール性水酸基を有する高分子化合物中の低分子成分（不純物）の一部がリークしたためであると考えられる。
【００４９】
［実施例１，２、比較例１，２］
＜実験条件＞
原水（野木町水：ＴＯＣ０．９ｍｇ／Ｌ）に対して、フェノール性水酸基を有する高分子化合物（クリバーターＢＰ−２０１（レゾール型））を表２の添加量にて添加後、塩化第二鉄を表２の添加量にて添加した。その後、孔径０．０２μｍの除濁膜にて濾過し、ＲＯ処理した。ＲＯ処理条件は以下の通りである。
＜ＲＯ処理条件＞
処理水量３.８Ｌ／ｍｉｎ
循環水量１５Ｌ／ｍｉｎ
回収率６５％
【００５０】
なお、フェノール性水酸基を有する高分子化合物（クリバーターＢＰ−２０１（レゾール型））の添加濃度は、塩化第二鉄の略１６％（凝集剤比（[フェノール性水酸基を有する高分子化合物／鉄系凝集剤]＝略０．１６））となるようにした。凝集ｐＨは５.５に調整した。
【００５１】
２週間通水して除濁膜差圧、ＲＯ膜のフラックス挙動（フラックス低下係数）を評価した。結果を表２に示す。洗浄頻度、洗浄回復性の観点から、フラックス低下係数は０．０３０以下を許容値とした。なお、フラックス低下係数はＦ＝Ｆ０×Ｔｍにおけるｍの値である。
Ｆ：フラックス
Ｆ０：初期フラックス
Ｔ：時間
ｍ：フラックス低下係数
【００５２】
【表２】
2018158310.tif 000004
【００５３】
＜考察＞
表２のとおり、凝集剤比が同じであっても、フェノール性水酸基を有する高分子化合物の添加濃度が多くなると、差圧の上昇、又はフラックスの低下が認められた。これは、除濁膜への付着による差圧上昇、フェノール性水酸基を有する高分子化合物中の低分子成分の一部がＲＯへリークして膜閉塞を引き起こしたものと考えられる。
【００５４】
［実施例３〜６、比較例３〜６］
実施例１において、カナディアンフルボを添加してＴＯＣを表３の通りとした条件で、ＲＯ処理運転した。その際、フェノール性水酸基を有する高分子化合物と鉄系凝集剤は、凝集剤比を０．１６に固定した条件（実施例３〜６）、鉄系凝集剤の濃度を変化させ、フェノール性水酸基を有する高分子化合物の濃度を固定した条件（比較例３〜６）で行った。なお、カナディアンフルボの添加は１週間に一度行い、１週間通水して除濁膜差圧、ＲＯ膜のフラックス挙動（フラックス低下係数）を評価した。結果を表３に示す。なお、ＴＯＣを添加する際、一旦ＲＯ膜の運転を停止した。各フラックス低下係数は、それぞれＴＯＣを追添加する前のフラックスを初期フラックスとして換算している。
【００５５】
【表３】
2018158310.tif 000005
【００５６】
＜考察＞
実施例３〜６と比較例３〜６とでは、鉄系凝集剤とフェノール性水酸基を有する高分子化合物それぞれの総添加量は同じである。凝集剤の添加量はいずれも適正範囲である。
【００５７】
表３より、凝集剤比を固定した実施例では差圧の上昇やフラックス低下係数の変化は見られなかった。また、除濁膜の差圧は凝集剤比を固定した場合とフェノール性水酸基を有する高分子化合物の添加量を固定した場合とで変化はない。このことは、除濁膜への付着は抑制されていると考えられる。
【００５８】
一方、比較例では、ＲＯのフラックス低下係数は実施例に比較して、より低下する傾向がみられた。
【００５９】
これは、凝集剤比及び添加濃度が適正範囲（表１、表２）であるにもかかわらず、フェノール性水酸基を有する高分子化合物の添加量変化に対し、塩化第二鉄の添加効果の追従性が悪かったためであると考えられる。そのため、比較例において凝集剤比を０．２４に変化させた場合には、フェノール性水酸基を有する高分子化合物から低分子成分がＲＯへリークし、また、凝集剤比を０．１２に変化させた場合には、鉄イオンやＴＯＣ成分がＲＯへリークしやすい状況となり、フラックス低下係数がより低下する傾向を示したと考えられる。
【００６０】
なお、実験例及び実施例、比較例では、ＴＯＣを指標として凝集剤の添加制御を行ったが、ＵＶ−２６０の測定値や鉄イオン濃度、濁度等を制御指標としても良い。また、原水や処理水に設けたセンサからの測定値に基づいて自動で薬注制御を行う制御ユニットを設け、本発明の処理方法を実施するシステムを構築しても良い。
【図１】
2018158310.tif 000006
【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
被処理水に凝集剤としてフェノール性水酸基を有する高分子化合物と鉄系凝集剤を添加する工程と、
この凝集水を除濁用濾過器で濾過する工程と、
この濾過水を逆浸透膜処理する工程と
を有する用水処理方法において、
鉄系凝集剤の添加量を原水および／または処理水の水質に応じて制御し、フェノール性水酸基を有する高分子化合物の添加量を鉄系凝集剤に対して予め設定した所定の比率となるように添加することを特徴とする用水処理方法。
【請求項２】
請求項１において、フェノール性水酸基を有する高分子化合物の添加濃度と鉄系凝集剤の添加濃度との比が０．０１〜０．２５となるように凝集剤の添加を制御すること特徴とする用水処理方法。
【請求項３】
請求項１又は２において、フェノール性水酸基を有する高分子化合物添加濃度は１〜１５ｍｇ／Ｌであることを特徴とする用水処理方法。
【請求項４】
請求項１〜３のいずれか１項において、前記凝集水を直接に前記除濁用濾過器に供給することを特徴とする用水処理方法。
【手続補正２】
【補正対象書類名】明細書
【補正対象項目名】００１２
【補正方法】変更
【補正の内容】
【００１２】
［１］  被処理水に凝集剤としてフェノール性水酸基を有する高分子化合物と鉄系凝集剤を添加する工程と、この凝集水を除濁用濾過器で濾過する工程と、この濾過水を逆浸透膜処理する工程とを有する用水処理方法において、鉄系凝集剤の添加量を原水および／または処理水の水質に応じて制御し、フェノール性水酸基を有する高分子化合物の添加量を鉄系凝集剤に対して予め設定した所定の比率となるように添加することを特徴とする用水処理方法。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
［３］  ［１］又は［２］において、フェノール性水酸基を有する高分子化合物添加濃度は１〜１５ｍｇ／Ｌであることを特徴とする用水処理方法。
【手続補正５】
【補正対象書類名】明細書
【補正対象項目名】００１６
【補正方法】変更
【補正の内容】
【００１６】
［４］  ［１］〜［３］のいずれかにおいて、前記凝集水を直接に前記除濁用濾過器に供給することを特徴とする用水処理方法。
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
被処理水に凝集剤としてフェノール性水酸基を有する高分子化合物と鉄系凝集剤を添加する工程と、
この凝集水を除濁用濾過器で濾過する工程と、
この濾過水を逆浸透膜処理する工程と
を有する用水処理方法において、
フェノール性水酸基を有する高分子化合物添加濃度は１〜１５ｍｇ／Ｌであり、
鉄系凝集剤の添加量を、原水のＴＯＣ濃度の変動範囲０．１〜５．０ｍｇ／Ｌに応じて５〜３００ｍｇ／Ｌの範囲で制御し、
フェノール性水酸基を有する高分子化合物の添加量を鉄系凝集剤に対して予め設定した所定の比率となるように添加することを特徴とする用水処理方法。
【請求項２】
請求項１において、フェノール性水酸基を有する高分子化合物の添加濃度と鉄系凝集剤の添加濃度との比が０．０１〜０．２５となるように凝集剤の添加を制御すること特徴とする用水処理方法。
【請求項３】
請求項１又は２において、前記凝集水を直接に前記除濁用濾過器に供給することを特徴とする用水処理方法。